(57)【要約】【課題】２つの光制御板の相対位置の微調整を容易に行うことが可能な調光装置を提供する。【解決手段】調光装置１は、少なくとも部分的に対面するようにして配置された２つの光制御板２０、３０と、２つの光制御板２０、３０を互いに相対移動可能に保持する枠装置５０と、を備える。枠装置５０は、一の光制御板２０に対して回転可能に支持されたカム部材５５を有し、カム部材５５の回転状態に応じて他の第２光制御板３０がカム部材５５に押されて、２つの光制御板２０、３０の相対位置が変動する。２つの光制御板２０、３０の両方を透過する光の透過率は、２つの光制御板２０、３０の相対位置に応じて変化する。【選択図】図１２
2016051156.tif 000002
【特許請求の範囲】
【請求項１】
少なくとも部分的に対面するようにして配置された第１光制御板及び第２光制御板と、
前記第１光制御板及び前記第２光制御板を互いに相対移動可能に保持する枠装置と、
を備え、
前記枠装置は、前記第１光制御板に対して回転可能に支持されたカム部材を有し、
前記カム部材の回転状態に応じて前記第２光制御板が前記カム部材に押されて、前記第２光制御板の第１光制御板に対する相対位置が変動するようになっており、
前記第１光制御板及び前記第２光制御板の両方を透過する光の透過率は、前記第１光制御板及び前記第２光制御板の相対位置に応じて変化する、調光装置。
【請求項２】
前記枠装置は、前記第１光制御板及び前記第２光制御板を一軸方向に相対移動可能に保持している、請求項１に記載の調光装置。
【請求項３】
前記枠装置は、前記カム部材を間に挟むようにして一軸方向に対向して配置され、前記第２光制御板と固定された一対の従動壁を有し、
前記カム部材の回転状態に応じて前記一対の従動壁が前記カム部材に押されて、前記第２光制御板の第１光制御板に対する相対位置が変動する、請求項２に記載の調光装置。
【請求項４】
前記第１光制御板は、互いに異なる光学特性を有した二種類の領域を含む第１光制御シートを有し、前記二種類の領域は、前記一軸方向に一定のピッチで繰り返し配置され、
前記第２光制御板は、互いに異なる光学特性を有した二種類の領域を含む第２光制御シートを有し、前記二種類の領域は、前記一軸方向に前記一定ピッチで繰り返し配置されている、請求項２または３に記載の調光装置。
【請求項５】
前記枠装置は、前記第１光制御板の周りを取り囲んで当該第１光制御板を保持するフレームと、
前記第１光制御板の前記フレームに対する据付位置を調整する位置調整手段と、
を有する、請求項４に記載の調光装置。
【請求項６】
前記位置調整手段は、前記フレームに回転可能に支持された調整カムを有し、
前記調整カムの回転状態に応じて前記第１光制御板が前記調整カムに押されて、前記第１光制御板の前記フレームに対する据付位置が調整される、請求項５に記載の調光装置。
【請求項７】
前記調整カムは、前記第１光制御板の前記一軸方向における両側にそれぞれ配置されている、請求項６に記載の調光装置。
【請求項８】
前記調整カムは、前記第１光制御板の、前記一軸方向に直交する他軸方向における両側に少なくとも２つずつ配置されている、請求項７に記載の調光装置。
【発明の詳細な説明】
【技術分野】
【０００１】
本発明は、二つの光制御板を相対移動させることによって調光を行う調光装置に関する。
【背景技術】
【０００２】
例えば、特許文献１に示すように、２つの光制御板とを相対移動させることにより調光を行う調光装置が知られている。調光装置は、例えば、窓やパーテーションに適用される。典型的には、一方の光制御板に固定されたつまみを握って、２つの光制御板を一軸方向に相対移動させることにより、光透過率の調節を可能にし、遮光と透過の切り換えを実現する。
【先行技術文献】
【特許文献】
【０００３】
【特許文献１】国際公開第２０１３−１１２４２６号パンフレット
【発明の概要】
【発明が解決しようとする課題】
【０００４】
昨今では、２つの光制御板の相対位置を微調整して、調光状態を細かく制御する機能が求められている。しかしながら、一方の光制御板に固定されたつまみを握って２つの光制御板の相対移動を行う手法では、２つの光制御板の相対位置を微調整することができず、調光状態の細かな制御をすることができない。
【０００５】
本発明は、以上の点を考慮してなされたものであり、２つの光制御板の相対位置の微調整を容易に行うことが可能な調光装置を提供することを目的とする。
【課題を解決するための手段】
【０００６】
本発明による調光装置は、少なくとも部分的に対面するようにして配置された第１光制御板及び第２光制御板と、前記第１光制御板及び前記第２光制御板を互いに相対移動可能に保持する枠装置と、を備え、前記枠装置は、前記第１光制御板に対して回転可能に支持されたカム部材を有し、前記カム部材の回転状態に応じて前記第２光制御板が前記カム部材に押されて、前記第２光制御板の第１光制御板に対する相対位置が変動するようになっており、前記第１光制御板及び前記第２光制御板の両方を透過する光の透過率は、前記第１光制御板及び前記第２光制御板の相対位置に応じて変化する。
【０００７】
本発明による調光装置において、前記枠装置は、前記第１光制御板及び前記第２光制御板を一軸方向に相対移動可能に保持していてもよい。
【０００８】
本発明による調光装置において、前記枠装置は、前記カム部材を間に挟むようにして一軸方向に対向して配置され、前記第２光制御板と固定された一対の従動壁を有し、前記カム部材の回転状態に応じて前記一対の従動壁が前記カム部材に押されて、前記第２光制御板の第１光制御板に対する相対位置が変動してもよい。
【０００９】
本発明による調光装置において、前記第１光制御板は、互いに異なる光学特性を有した二種類の領域を含む第１光制御シートを有し、前記二種類の領域は、前記一軸方向に一定のピッチで繰り返し配置され、前記第２光制御板は、互いに異なる光学特性を有した二種類の領域を含む第２光制御シートを有し、前記二種類の領域は、前記一軸方向に前記一定ピッチで繰り返し配置されていてもよい。
【００１０】
本発明による調光装置において、前記枠装置は、前記第１光制御板の周囲を取り囲んで当該第１光制御板を保持するフレームと、前記第１光制御板の前記フレームに対する据付位置を調整する位置調整手段と、を有してもよい。
【００１１】
本発明による調光装置において、前記位置調整手段は、前記フレームに回転可能に支持された調整カムを有し、前記調整カムの回転状態に応じて前記第１光制御板が前記調整カムに押されて、前記第１光制御板の前記フレームに対する据付位置が調整されてもよい。
【００１２】
本発明による調光装置において、前記調整カムは、前記第１光制御板の前記一軸方向における両側にそれぞれ配置されていてもよい。
【００１３】
本発明による調光装置において、前記調整カムは、前記第１光制御板の、前記一軸方向に直交する他軸方向における両側に少なくとも２つずつ配置されていてもよい。
【発明の効果】
【００１４】
本発明によれば、第１光制御板に対して支持されたカム部材を回転させることで、第２光制御板がカム部材に押されて位置を変動する。これにより、２つの光制御板の相対位置の微調整を容易に行うことができ、調光状態の細かな制御が可能となる。
【図面の簡単な説明】
【００１５】
【図１】本発明の一実施の形態による調光装置を示す分解斜視図。
【図２】図１に示す調光装置の第１光制御板を示す平面図。
【図３】図１に示す調光装置の第２光制御板を示す平面図。
【図４】図２に示す第１光制御板の断面図。
【図５】図３に示す第２光制御板の断面図。
【図６】第１光制御板と第２光制御板との相対位置に応じて透過する光の光量が変化する機能を説明するための断面図。
【図７】図６に示す状態から第１光制御板と第２光制御板との相対位置を変化させた状態を示す断面図。
【図８】第１、第２光制御シートをなす位相差フィルムの層構成を説明するための断面図。
【図９】図１に示す調光装置のカバー板を示す平面図。
【図１０】図１に示す線Ｘ−Ｘに沿った調光装置の断面図。
【図１１】調光装置の作用を説明するための平面図。
【図１２】図１１に示す状態から第１調光制御板と第２調光制御板との相対位置を変化させた状態を示す平面図。
【図１３】図１２に示す状態から第１調光制御板と第２調光制御板との相対位置をさらに変化させた状態を示す平面図。
【図１４】図１に示す線ＸIV−ＸIVに沿った調光装置の断面図。
【図１５】図１４に対応する図であって、位置調整手段の一変形例を示す断面図。
【図１６】図１４に対応する図であって、位置調整手段の別の変形例を示す断面図。
【図１７】図１４に対応する図であって、位置調整手段のさらに別の変形例を示す断面図。
【発明を実施するための形態】
【００１６】
以下、図面を参照して本発明の一実施の形態について説明する。図１〜図１５は本発明による一実施の形態を説明するための図である。なお、本件明細書に添付する図面においては、図示と理解のしやすさの便宜上、適宜縮尺および縦横の寸法比等を、実物のそれらから変更し誇張してある。図１は、本発明の一実施の形態による調光装置１を示す分解斜視図である。
【００１７】
なお、本明細書において、「板」、「シート」、「フィルム」の用語は、呼称の違いのみに基づいて、互いから区別されるものではない。例えば、「板」は、シートやフィルムと呼ばれ得るような部材も含む概念であり、したがって、一例として、「光制御板」は、「光制御シート」や「光制御フィルム」と呼ばれる部材と呼称の違いのみにおいて区別され得ない。
【００１８】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１９】
図１に示すように、調光装置１は、第１光制御板２０及び第２光制御板３０を含んでいる。この調光装置１では、第１光制御板２０及び第２光制御板３０の相対位置に依存して、第１光制御板２０及び第２光制御板３０の両方を透過する光の透過率を調整し得るようになっている。さらに、第２光制御板３０を第１光制御板２０との間に挟むようにしてカバー板４０が配置され、これら３つの板２０、３０、４０は枠装置５０によって保持されている。枠装置５０には、第１光制御板２０と第２光制御板３０との相対位置を容易に微調整することが可能な工夫がなされている。
【００２０】
このような調光装置１は、例えば室外と室内とを区画する壁に設けられた開口に嵌め込まれ、窓として機能する。調光装置１は、室内に取り込む光の光量を調整し、遮光と透過の切り換えを実現する。
【００２１】
図２及び図３は、それぞれ、第１光制御板２０及び第２光制御板３０を示す平面図である。図２及び図３に示すように、第１光制御板２０は、その周囲を固定フレーム５１に保持され、第２光制御板３０は、その周囲を可動フレーム５３に保持されている。固定フレーム５１にはカム部材５５が回転可能に支持されている。カム部材５５の回転状態に応じて可動フレーム５３がカム部材５５に押されて、第２光制御板３０が第１光制御板２０に対して一軸方向Ｄ１にスライドするようになっている。
【００２２】
先ず、第１光制御板２０及び第２光制御板３０の構成について図４乃至図８を参照して説明する。図４及び図５は、それぞれ、第１光制御板２０及び第２光制御板３０の一例を示す断面図である。図４に示された例において、第１光制御板２０は、第１光制御シート２５、接合層２４、第１偏光板２３、接合層２２、第１透明支持板２１を、第２光制御板３０に近接する側からこの順番にて、含んでいる。一方、図５に示された例において、第２光制御板３０は、第２光制御シート３５、接合層３４、第２偏光板３３、接合層３２お及び第２透明支持板３１を、第１光制御板２０に近接する側からこの順番にて、含んでいる。第１光制御板２０と第２光制御板３０とは同一の構成を採用することが可能になっている。以下、各層について説明していく。
【００２３】
第１透明支持板２１および第２透明支持板３１は、光制御シート２５，３５及び偏光板２３，３３を支持するための支持体である。第１透明支持板２１および第２透明支持板３１として、例えば可視光に対して優れた透過性を有したガラス、ポリカーボネートやアクリル等の透明な樹脂等を用いることができる。一例として、第１透明支持板２１および第２透明支持板３１の厚みは、２〜４ｍｍ程度に設定される。
【００２４】
第１偏光板２３及び第２偏光板３３は、一方の直線偏光成分の光を高い透過率で透過させるとともに、一方の直線偏光成分と直交する方向に振動する他方の直線偏光成分の光を吸収する機能を有している。本実施の形態において、第１偏光板２３と第２偏光板３３とは、その吸収軸の向きが互いに非平行となっている。とりわけ図示する例では、第１偏光板２３及び第２偏光板３３は、それぞれの吸収軸が互いに直交するようにして、すなわちクロスニコル状態で配置されている。第１偏光板２３及び第２偏光板３３として、ポリビニルアルコールにヨウ素や二色性色素を吸着させてなる広く普及した偏光板を用いることができる。
【００２５】
第１光制御シート２５及び第２光制御シート３５は、透過光の偏光状態を制御可能となっている。図５に示すように、第１光制御シート２５は、透過光の偏光状態に互いに異なる作用を及ぼす第１領域Ｚ１及び第２領域Ｚ２を含んでいる。とりわけ、本実施の形態の第１光制御シート２５は、位相差フィルムとして形成され、第１領域Ｚ１と第２領域Ｚ２との間で、異なる位相変調を透過光に生じさせる。具体的には、第１領域Ｚ１及び第２領域Ｚ２は、共に、リタデーションがλ／４の位相差フィルムからなる。ただし、当該位相差フィルムは、遅相軸が互いに直交するようにして配置されている。したがって、第１光制御シート２５は、第１領域Ｚ１を透過する光に対して「λ／４」の位相変調を引き起こし、第２領域Ｚ２を透過する光に対して「−λ／４」の位相変調を引き起こす。
【００２６】
また、第１光制御シート２５の第１領域Ｚ１及び第２領域Ｚ２は、ストライプ状に配列されている。本実施の形態では、第１光制御シート２５の第１領域Ｚ１及び第２領域Ｚ２は、一軸方向Ｄ１に交互に隙間なく配置され、一軸方向Ｄ１に沿って同一な幅Ｗを有している。したがって、第１領域Ｚ１及び第２領域Ｚ２は、各領域の幅の二倍「Ｗ×２」となる一定ピッチでそれぞれ一軸方向Ｄ１に配列されている。また、各第１領域Ｚ１及び各第２領域Ｚ２は、一軸方向Ｄ１に直交する他軸方向Ｄ２（図２参照）に直線状に延びている。
【００２７】
第２光制御シート３５は、第１光制御シート２５と同様に構成され得る。すなわち、第２光制御シート３５は、透過光の偏光状態に互いに異なる作用を及ぼす第３領域Ｚ３及び第４領域Ｚ４を含んでいる。第２光制御シート３５は、位相差フィルムとして形成され、第３領域Ｚ３と第４領域Ｚ４との間で、異なる位相変調を透過光に生じさせる。具体的には、第３領域Ｚ３及び第４領域Ｚ４は、共に、リタデーションがλ／４の位相差フィルムからなり、ただし、当該位相差フィルムは、遅相軸が互いに直交するようにして配置されている。そして、第２光制御シート３５は、第３領域Ｚ３を透過する光に対して「λ／４」の位相変調を引き起こし、第４領域Ｚ４を透過する光に対して「−λ／４」の位相変調を引き起こす。
【００２８】
また、第２光制御シート３５の第３領域Ｚ３及び第４領域Ｚ４は、ストライプ状に配列されている。本実施の形態では、第２光制御シート３５の第３領域Ｚ３及び第４領域Ｚ４は、第１方向Ｄ１に交互に隙間なく配置され、第１方向Ｄ１に沿って同一な幅Ｗを有している。第３領域Ｚ３及び第４領域Ｚ４は、各領域の幅の二倍「Ｗ×２」となる一定ピッチでそれぞれ第１方向Ｄ１に配列されている。また、各第３領域Ｚ３及び各第４領域Ｚ４は、一軸方向Ｄ１に直交する他軸方向Ｄ２（図３参照）に直線状に延びている。
【００２９】
本実施の形態では、第１偏光板２３の吸収軸に対して、第１光制御シート２５の第１領域Ｚ１の遅相軸は４５°をなし、第１光制御シート２５の第２領域Ｚ２の遅相軸は−４５°をなしている。第１光制御シート２５の第１領域Ｚ１の遅相軸と、第２光制御シート３５の第３領域Ｚ３の遅相軸とは平行となっている。また、第１光制御シート２５の第２領域Ｚ２の遅相軸と、第２光制御シート３５の第４領域Ｚ４の遅相軸とは平行となっている。この場合、図６及び図７を参照して以下に説明するように、遮光と透過との切り換えを効果的に行うことができる。
【００３０】
図６に、第１光制御シート２５の第１領域Ｚ１と第２光制御シート３５の第３領域Ｚ３とが重なり、第１光制御シート２５の第２領域Ｚ２と第２光制御シート３５の第４領域Ｚ４とが重なった状態を示す。図６に示す場合、第１偏光板２３を透過した一方の偏光成分の光は、第１光制御シート２５及び第２光制御シート３５の両方を透過した後に、振動方向を９０°回転させる。したがって、図６に示すように、第１光制御シート２５及び第２光制御シート３５の両方を透過した光は、一方の偏光成分とは振動方向が直交する他方の偏光成分の光となっており、第２偏光板３３を透過することができる。
【００３１】
一方、図７に、第１光制御シート２５の第１領域Ｚ１と第２光制御シート３５の第４領域Ｚ４とが重なり、第１光制御シート２５の第２領域Ｚ２と第２光制御シート３５の第３領域Ｚ３とが重なった状態を示す。図７に示す場合、第１偏光板２３を透過した一方の偏光成分の光は、第１光制御シート２５及び第２光制御シート３５の両方を透過した後に、第１光制御シート２５及び第２光制御シート３５を透過する前の振動方向を維持する。したがって、図７に示すように、第１光制御シート２５及び第２光制御シート３５の両方を透過した光は、一方の偏光成分の光のままであり、第２偏光板３３で吸収され、第２偏光板３３を透過することはできない。
【００３２】
このような光学作用を及ぼす第１光制御シート２５及び第２光制御シート３５は、例えば位相差フィルム２５０からなる。この位相差フィルム２５０の層構成について図８を参照して説明する。図８は、位相差フィルム２５０の層構成の一例を示す断面図である。位相差フィルム２５０は、トリアセチルセルロース等の低リタデーション透光性基材としての基材２５１と、基材２５１上に形成されたパターン配向膜２５２と、パターン配向膜２５２上に形成されたパターン位相差層２５３と、を有する。パターン配向膜２５２及びパターン位相差層２５３は、第１領域Ｚ１及び第２領域Ｚ２に対応した二つの領域２５２ａ、２５２ｂ、２５３ａ、２５３ｂ、あるいは、第３領域Ｚ３及び第４領域Ｚ４に対応した二つの領域２５２ａ、２５２ｂ、２５３ａ、２５３ｂにそれぞれ区分けされる。
【００３３】
パターン配向膜２５２は、二つの領域２５２ａ、２５２ｂ間で、異なる方向に配向規制力を発揮する。パターン位相差層２５３は、パターン配向膜２５２の配向規制力により配向される棒状化合物を含んでいる。パターン配向膜２５２が、２つの領域２５２ａ、２５２ｂ間で互いに異なる方向に配向規制力を発現するため、パターン位相差層２５３の２つの領域２５３ａ、２５３ｂに含有される棒状化合物は、互いに異なる方向に配向される。パターン位相差層２５３の各領域２５３ａ、２５３ｂは、分子の配向方向に対応した方向に、例えば分子が配向した方向に直交する方向に、遅相軸を持つようになる。本実施の形態では、パターン位相差層２５３の一方の領域２５３ａでの遅相軸の方向と、パターン位相差層２５３の他方の領域２５３ｂでの遅相軸の方向とが、互いに交差、とりわけ直交するようになる。
【００３４】
このような位相差フィルム２５０は、例えば国際公開第２０１３−０５４６７３号パンフレット、特開２０１２−１３７７２５号公報、または特開２０１２−１９８５２２号公報等に開示された製法を用いて作製され得るため、ここではこれ以上詳細な説明を省略する。
【００３５】
なお、位相差フィルム２５０は、パターン位相差層２５３に上記棒状化合物が含有されることにより、位相差性を発現するものである。この場合、位相差フィルム２５０の位相変調量は、棒状化合物の種類およびパターン位相差層２５３の厚みによって調整することが可能である。
【００３６】
さて、各光制御板２０、３０に含まれる接合層２２，２４，３２，３４は、隣り合う二つの層を接合するための層であり、十分な接合強度が得られれば特に限定されない。例えば、粘着剤を用いた粘着層や、接着剤を用いた接着層を、接合層２２，２４，３２，３４として用いることができる。また、一以上の接合層２２，２４，３２，３４に、赤外線遮蔽機能、帯電防止機能等の種々の機能を付与してもよい。
【００３７】
また、各光制御板２０、３０は、種々の機能層をさらに含んでいてもよい。例えば、光制御シート２５、３５を保護するべく、当該光制御シート２５、３５を覆うオーバーコート層がさらに設けられていてもよい。さらに、耐擦傷性を付与する観点から、オーバーコート層に、ハードコート性を付与してもよいし、その他防眩機能、反射防止機能、赤外線遮蔽機能、帯電防止機能等を付与してもよい。
【００３８】
次に、第１光制御板２０及び第２光制御板３０を相対移動可能に支持する枠装置５０について説明する。図１によく示されているように、枠装置５０は、第１光制御板２０を保持する固定フレーム５１と、第２光制御板３０を保持する可動フレーム５３と、カバー板４０を保持するカバーフレーム５７と、を有している。可動フレーム５３は、固定フレーム５１及びカバーフレーム５７の間に支持され、固定フレーム５１及びカバーフレーム５７に対して或る一軸方向に沿って摺動移動可能となっている。
【００３９】
固定フレーム５１及びカバーフレーム５７に対する可動フレーム５３の摺動方向は、固定フレーム５１及び可動フレーム５３に保持された光制御シート２５、３５の各領域Ｚ１〜Ｚ４の配列方向である一軸方向Ｄ１と平行となっている。したがって、固定フレーム５１及びカバーフレーム５７に対して可動フレーム５３を摺動させることにより、第１光制御シート２５と第２光制御シート３５との重なる範囲が変化して調光機能を発揮することができる。
【００４０】
図２に示すように、固定フレーム５１は、平面視において四角形形状、とりわけ矩形形状の外輪郭を有しており、その内部に貫通した開口５１ａを有している。開口５１ａは、第１光制御板２０の外輪郭に対応して、平面視において四角形形状、とりわけ矩形形状の輪郭を有している。固定フレーム５１の開口５１ａに対面する位置に、第１光制御板２０が保持されている。すなわち、第１光制御板２０は、固定フレーム５１の開口５１ａ内に露出し、開口５１ａの全領域を塞いでいる。
【００４１】
図３に示すように、可動フレーム５３は、固定フレーム５１に対応した形状を有している。可動フレーム５３は、平面視において四角形形状、とりわけ矩形形状の外輪郭を有しており、その内部に貫通した開口５３ａを有している。可動フレーム５３の開口５３ａに対面する位置に、第２光制御板３０が保持されている。すなわち、第２光制御板３０は、可動フレーム５３の開口５３ａ内に露出し、開口５３ａの全領域を塞いでいる。
【００４２】
図９に、カバー板４０及びカバーフレーム５７を示す。図９に示すように、カバー板４０を保持するカバーフレーム５７も、固定フレーム５１に対応した形状を有している。カバーフレーム５７は、平面視において四角形形状、とりわけ矩形形状の外輪郭を有しており、その内部に貫通した開口５７ａを有している。カバーフレーム５７の開口５７ａに対面する位置に、カバー板４０が保持されている。すなわち、カバー板４０は、カバーフレーム５７の開口５７ａ内に露出し、開口５７ａの全領域を塞いでいる。
【００４３】
とりわけ図示された例では、平面視において、固定フレーム５１の輪郭とカバーフレーム５７の輪郭とが重なり、固定フレーム５１の開口５１ａの輪郭とカバーフレーム５７の開口５７ａの輪郭とが重なり、第１光制御板２０の輪郭とカバー板４０の輪郭とが重なっている。すなわち、固定フレーム５１とカバーフレーム５７とは同じ大きさに形成され、固定フレーム５１の開口５１ａとカバーフレーム５７の開口５７ａとは同じ大きさに形成され、第１光制御板２０とカバー板４０とも同じ大きさに形成されている。
【００４４】
さて、図２に示す固定フレーム５１の、第１光制御板２０とは重ならない領域に、カム部材５５が回転可能に支持されている。図１０に、カム部材５５の断面を示す。図１０に示すように、カム部材５５は、回転状態に応じて可動フレーム５３を押し出すカムプレート５５ａと、カムプレート５５ａを回転させるためのハンドル５５ｂと、カムプレート５５ａとハンドル５５ｂとを連結する連結軸５５ｃと、を有している。
【００４５】
図２から理解されるように、カムプレート５５ａは、円盤状の形状を有しており、その主面が第１光制御板２０の表面と平行に延びている。カムプレート５５ａは、固定フレーム５１とカバーフレーム５７との間に配置され、可動フレーム５３の周縁と一軸方向Ｄ１に向き合っている。なお、固定フレーム５１の周縁領域５１ｗ及びカバーフレーム５７の周縁領域５７ｗが他の部分よりも隆起している。２つの周縁領域５１ｗ、５７ｗが当接することで、カム部材５５、可動フレーム５３及び第２光制御板３０の設置スペースが確保されている。
【００４６】
また、図２に示すように、カムプレート５５ａには、連結軸５５ｃが偏心して連結されている。すなわち、連結軸５５ｃは、カムプレート５５ａの重心からずれた位置で当該カムプレート５５ａに固定されている。
【００４７】
図１１に、カバー板４０及びカバーフレーム５７を省略した状態で調光装置１を示す。図１１に示すように、可動フレーム５３には、カムプレート５５ａの周りを取り囲むようにＵ字状のブラケット５６が取り付けられている。図１１に示すＵ字ブラケット５６は、一軸方向Ｄ１に延びる一対のボルト５６ａ（図３参照）を介して可動フレーム５３に締結されており、可動フレーム５３から一軸方向Ｄ１に張り出している。このＵ字ブラケット５６と可動フレーム５３とにより囲まれる空間内に、カムプレート５５ａが収容されている。
【００４８】
とりわけ、可動フレーム５３及びＵ字ブラケット５６のうち、カムプレート５５ａを間に挟んで一軸方向Ｄ１に対向する一対の部分を一対の従動壁ｗａとする。この場合、一方の従動壁ｗａは、カムプレート５５ａと一軸方向Ｄ１に対面する可動フレーム５３の部分であり、回転するカムプレート５５ａと接触し得る部分である。他方の従動壁ｗａは、カムプレート５５ａと一軸方向Ｄ１に対面するＵ字ブラケット５６の部分であり、回転するカムプレート５５ａと接触し得る部分である。図１１に示す例では、カムプレート５５ａは、一対の従動壁ｗａの両方に接触しながら、連結軸５５ｃの軸線を中心として回転する。これにより、カムプレート５５ａの回転状態に応じて、従動壁ｗａと固定された第２光制御板３０を第１光制御板２０に対して滑らかに相対移動させることが可能となる。
【００４９】
図１０に戻って、調光装置１のカバーフレーム５７側の表面に、ハンドル５５ｂが露出している。ハンドル５５ｂは、カムプレート５５ａを回転させるべく利用者の手で操作される部分である。図１０に示すハンドル５５ｂは、カムプレート５５ａとカバーフレーム５７を間に挟んで対面する位置に配置されている。このハンドル５５ｂは、カバーフレーム５７に設けられた孔５７ｂを貫通する連結軸５５ｃによってカムプレート５５ａに連結されている。
【００５０】
図１０に示す例では、連結軸５５ｃの先端は、カムプレート５５ａを貫通して固定フレーム５１に設けられた有底孔５１ｂ内に遊挿されている。そして、カムプレート５５ａ及びハンドル５５ｂは、連結軸５５ｃにそれぞれ固定されている。しかして、ハンドル５５ｂを回転させると、ハンドル５５ｂに固定された連結軸５５ｃを介してカムプレート５５ａを回転させることができるようになっている。
【００５１】
とりわけ、図１０に示す例では、カバーフレーム５７を間に挟んでカムプレート５５ａとハンドル５５ｂとが対面し、カバーフレーム５７を連結軸５５ｃが貫通している。この構成によって、カム部材５５がカバーフレーム５７に回転可能に支持されている。
【００５２】
本実施の形態において、カム部材５５を回転させることによって、光制御シート２５、３５の各領域Ｚ１〜Ｚ４の配列ピッチＰ以上の距離で、第２光制御板３０を第１光制御板２０に対して相対移動させることができるようになっている。ただし、カム部材５５の回転状態に応じて第１光制御板２０を介して可動フレーム５３が観察される、ということがないよう、第２光制御板３０は固定フレーム５１の開口５１ａの全域を常に覆うようになっている。すなわち、第２光制御板３０は、一軸方向Ｄ１において、少なくとも固定フレーム５１の開口５１ａよりも前記配列ピッチＰ以上長い。
【００５３】
次に、以上のような構成からなる本実施の形態の作用について、図１１乃至図１３を参照して説明する。図１１乃至図１３は、カム部材５５の各回転状態における調光装置１の状態を示す平面図である。なお、図１１乃至図１３において、理解を容易にすべく、カバー板４０、カバーフレーム５７及びハンドル５５ｂを省略している。
【００５４】
図１１に示す状態において、第１光制御シート２５の第１領域Ｚ１が第２光制御シート３５の第３領域Ｚ３に重なり、第１光制御シート２５の第２領域Ｚ２が第２光制御シート３５の第４領域Ｚ４に重なる。この場合、図１１に示すように、第１光制御板１０と第２光制御板２０とが重なる範囲において調光装置１に入射する光は、第１光制御板１０及び第２光制御板２０を透過することができる。したがって、第１光制御板１０と第２光制御板２０とが重なる範囲において調光装置１は、遮光をほとんど行わず主として採光機能を発現することができる。
【００５５】
図１１に示す状態から、カムプレート５５ａを連結軸５５ｃを中心として９０°回転させると、図１２に示す状態となる。図１２に示す状態では、第１光制御板１０と第２光制御板２０との相対位置に応じて、第１光制御シート２５の第１領域Ｚ１と第２光制御シート３５の第３領域Ｚ３及び第４領域Ｚ４との重なる範囲が変化すると共に、第１光制御シート２５の第２領域Ｚ２と第２光制御シート３５の第３領域Ｚ３及び第４領域との重なる範囲が変化する。具体的には、第２光制御板２０が第１光制御板１０に対して一軸方向Ｄ１にずれて、第１光制御シート２５の第１領域Ｚ１が第２光制御シート３５の第３領域Ｚ３及び第４領域Ｚ４の両方に重なり、第１光制御シート２５の第４領域Ｚ４が第２光制御シート３５の第３領域Ｚ３及び第４領域Ｚ４の両方に重なる。この場合、図１２から理解されるように、ストライプ状の遮光領域と透過領域とが一軸方向Ｄ１に交互に形成されることになる。
【００５６】
図１２に示す状態から、カムプレート５５ａを連結軸５５ｃを中心としてさらに９０°回転させると、図１３に示す状態となる。図１３において、第１光制御シート２５の第１領域Ｚ１が第２光制御シート３５の第４領域Ｚ４に重なり、第１光制御シート２５の第２領域Ｚ２が第２光制御シート３５の第３領域Ｚ３に重なる。この場合、図１３に示すように、第１光制御板１０と第２光制御板２０とが重なる範囲において調光装置１に入射する光は、第１光制御板１０及び第２光制御板２０を透過することができず遮光される。したがって、第１光制御板１０と第２光制御板２０とが重なる範囲において調光装置１は、採光機能をほとんど発揮せず主として遮光機能を発現することができる。
【００５７】
以上のように、本実施の形態によれば、少なくとも部分的に対面するようにして配置された第１光制御板２０及び第２光制御板３０と、第１光制御板２０及び第２光制御板３０を互いに相対移動可能に保持する枠装置５０と、を備え、枠装置５０は、第１光制御板２０に対して回転可能に支持されたカム部材５５を有し、カム部材５５の回転状態に応じて第２光制御板３０がカム部材５５に押されて、第２光制御板３０の第１光制御板２０に対する相対位置が変動するようになっており、第１光制御板２０及び第２光制御板３０の両方を透過する光の透過率は、第１光制御板２０及び第２光制御板３０の相対位置に応じて変化する。このような形態によれば、第１光制御板２０に対して支持されたカム部材５５を回転させることで、第２光制御板３０の第１光制御板２０に対する相対位置が変動する。この場合、従来の第２光制御板に固定されたつまみを握って２つの光制御板の相対移動を行う手法に比べて、２つの光制御板２０、３０の相対位置の微調整を容易に行うことが可能となる。
【００５８】
また、本実施の形態によれば、枠装置５０は、カム部材５５を間に挟むようにして一軸方向Ｄ１に対向して配置され、第２光制御板３０と固定された一対の従動壁ｗａを有し、カム部材５５の回転状態に応じて一対の従動壁ｗａがカム部材５５に押されて、第２光制御板３０の第１光制御板２０に対する相対位置が変動する。このような形態によれば、カム部材５５がいずれの回転状態にあっても、一対の従動壁ｗａの少なくとも一方がカム部材５５に押された状態となり、第２光制御板３０がカム部材５５の動きに常に従動する。この結果、第２光制御板３０の第１光制御板２０に対する相対位置を滑らかに変更することが可能になる。
【００５９】
ところで、調光装置１は、図１１に示す採光状態と図１３に示す遮光状態とが明瞭に切換え可能になっているのが好ましい。すなわち、図１１に示す採光状態においてその一部の領域で遮光状態が発現されたり、図１３に示す遮光状態においてその一部の領域で採光状態が発現されるべきではない。調光装置１の採光と遮光との明瞭な切換えを実現するためには、図１１や図１３に示す状態において、第１光制御シート２５の各領域Ｚ１、Ｚ２と第２光制御シート３５の対応する領域Ｚ３、Ｚ４とが、ずれることなく重なる必要がある。そこで、図１に示す枠装置５０は、第１光制御板２０の固定フレーム５１に対する据付位置を調整する第１位置調整手段５２と、第２光制御板３０の可動フレーム５３に対する据付位置を調整する第２位置調整手段５４と、を有している。
【００６０】
図２に示すように、第１位置調整手段５２は、第１光制御板２０の周りに位置し、固定フレーム５１に取り付けられている。第１位置調整手段５２は、固定フレーム５１に回転可能に支持された複数の第１調整カム５２ａを有している。複数の第１調整カム５２ａは、第１光制御板２０の周囲を取り囲むように配置されている。図２に示す例では、第１調整カム５２ａは、第１光制御板２０の一軸方向Ｄ１における両側にそれぞれ１つずつ配置され、第１光制御板２０の他軸方向Ｄ２における両側にそれぞれ２つずつ配置されている。第１光制御板２０を挟んで一軸方向Ｄ１に対向する２つの第１調整カム５２ａは、第１光制御板２０の固定フレーム５１に対する一軸方向Ｄ１における据付位置を調整する。第１光制御板２０を挟んで他軸方向Ｄ２に対向する４つの第１調整カム５２ａは、第１光制御板２０の固定フレーム５１に対する他軸方向Ｄ２における据付位置を調整すると共に、第１光制御板２０に平行な面内における第１光制御板２０の固定フレーム５１に対する傾きを調整する。
【００６１】
一方、図３に示すように、第２位置調整手段５４は、第２光制御板３０の周りに位置し、可動フレーム５３に取り付けられている。第２位置調整手段５４は、可動フレーム５３に回転可能に支持された複数の第２調整カム５４ａを有している。複数の第２調整カム５４ａは、第２光制御板３０の周囲を取り囲むように配置されている。図３に示す例では、第２調整カム５４ａは、第２光制御板３０の一軸方向Ｄ１における両側にそれぞれ１つずつ配置され、第２光制御板３０の他軸方向Ｄ２における両側にそれぞれ２つずつ配置されている。第２光制御板３０を挟んで一軸方向Ｄ１に対向する２つの第２調整カム５４ａは、第２光制御板３０の可動フレーム５３に対する一軸方向Ｄ１における据付位置を調整する。第２光制御板３０を挟んで他軸方向Ｄ２に対向する２つの第２調整カム５４ａは、第２光制御板３０の可動フレーム５３に対する他軸方向Ｄ２における据付位置を調整すると共に、第２光制御板３０に平行な面内における第２光制御板３０の可動フレーム５３に対する傾きを調整する。
【００６２】
図２に示す各第１調整カム５２ａは、円盤状の形状を有しており、その主面が第１光制御板２０の主面と平行に延びている。図３に示す各第２調整カム５４ａは、円盤状の形状を有しており、その主面が第２光制御板３０の主面と平行に延びている。各第１調整カム５２ａは互いに同一に構成され、各第２調整カム５４ａも互いに同一に構成されている。図１０及び図１４に、第１調整カム５２ａ及び第２調整カム５４ａの断面図を示す。
【００６３】
図１０及び図１４に示すように、固定フレーム５１の可動フレーム５３側を向く面に、他の部分よりも凹んだ凹部５１ｃが設けられており、この凹部５１ｃ内に第１調整カム５２ａが配置されている。そして、第１調整カム５２ａは、第１光制御板２０の周縁と向き合い、当該第１光制御板２０の周縁に当接可能になっている。また、第１調整カム５２ａには、全ネジ５２ｂの一端が固定されている。全ネジ５２ｂは、第１調整カム５２ａに対して偏心して取り付けられている（図２参照）。そして、全ネジ５２ｂは固定フレーム５１に設けられた貫通孔５１ｄを通って、その他端が外部に露出している。全ネジ５２ｂの他端には、ナット５２ｃが取り付け可能になっている。全ネジ５２ｂと共に第１調整カム５２ａを回転させて第１調整カム５２ａの回転状態を調整した後に、ナット５２ｃを全ネジ５２ｂの他端に螺合させることで、第１調整カム５２ａの回転状態を維持することができる。
【００６４】
このような第１位置調整手段５２によれば、第１光制御板２０を挟んで一軸方向Ｄ１に対向する２つの第１調整カム５２ａの回転状態を調整することによって、第１光制御板２０が当該第１調整カム５２ａに押されて、第１光制御板２０の固定フレーム５１に対する一軸方向Ｄ１における据付位置を調整することができる。加えて、第１光制御板２０を挟んで他軸方向Ｄ２に対向する４つの第１調整カム５２ａの回転状態を調整することによって、第１光制御板２０の固定フレーム５１に対する他軸方向Ｄ２における据付位置を調整すると共に、第１光制御板２０が配置された面内における第１光制御板２０の固定フレーム５１に対する傾きを調整することができる。
【００６５】
同様に、可動フレーム５３の固定フレーム５１側を向く面に、他の部分よりも凹んだ凹部５３ｃが設けられており、この凹部５３ｃ内に第２調整カム５４ａが配置されている。そして、第２調整カム５４ａは、第２光制御板３０の周縁と向き合い、当該第２光制御板３０の周縁に当接可能になっている。また、第２調整カム５４ａには、全ネジ５４ｂの一端が固定されている。全ネジ５４ｂは、第２調整カム５４ａに対して偏心して取り付けられている（図３参照）。そして、全ネジ５４ｂは可動フレーム５３に設けられた二段孔５３ｄを貫通している。二段孔５３ｄに対面するカバーフレーム５７の位置に貫通孔５７ｄが設けられており、外部から全ネジ５４ｂにアクセスすることができるようになっている。また、全ネジ５４ｂには、貫通孔５７ｄを利用してナット５４ｃが取り付け可能になっている。しかして、全ネジ５４ｂを回転させて第２調整カム５４ａの回転状態を調整した後に、ナット５４ｃを全ネジ５４ｂの他端に螺合させることで、第２調整カム５４ａの回転状態を維持するようになっている。なお、第２光制御板３０の移動に伴いナット５４ｃがカバーフレーム５７と干渉することがないよう、ナット５４ｃは、可動フレーム５３に設けられた二段孔５３ｄ内に収容される。
【００６６】
このような第２位置調整手段５４によれば、第２光制御板３０を挟んで一軸方向Ｄ１に対向する２つの第２調整カム５４ａの回転状態を調整することによって、第２光制御板３０が当該第２調整カム５４ａに押されて、第２光制御板３０の可動フレーム５３に対する一軸方向Ｄ１における据付位置を調整することができる。加えて、第２光制御板３０を挟んで他軸方向Ｄ２に対向する４つの第２調整カム５４ａの回転状態を調整することによって、第２光制御板３０の可動フレーム５３に対する他軸方向Ｄ２における据付位置を調整すると共に、第２光制御板３０が配置された面内における第２光制御板３０の可動フレーム５３に対する傾きを調整することができる。
【００６７】
以上のことから、第１位置調整手段５２及び第２位置調整手段５４の少なくとも一方を調整することによって、第１光制御板２０と第２光制御板３０とを位置合わせすることができる。これにより、第１光制御シート２５の各領域Ｚ１、Ｚ２と第２光制御シート３５の対応する１つの領域Ｚ３、Ｚ４とがずれ難くなり、図１１に示す採光状態と図１３に示す遮光状態とを明瞭に切換えることが可能になる。
【００６８】
また、本実施の形態によれば、各位置調整手段５２、５４は、フレーム５１、５３に回転可能に支持された調整カム５２ａ、５４ａを有し、調整カム５２ａ、５４ａの回転状態に応じて光制御板２０、３０が調整カム５２ａ、５４ａに押されて、光制御板２０、３０のフレーム５１、５３に対する据付位置が調整される。調整カム５２ａ、５４ａを利用することで、枠装置５０の限られたスペースを有効に活用しながら、光制御板２０、３０のフレーム５１、５３に対する据付位置の微調整をも可能になる。
【００６９】
また、本実施の形態によれば、第１調整カム５２ａは、第１光制御板２０の一軸方向Ｄ１における両側にそれぞれ配置されている。この場合、これらの第１調整カム５２ａの回転状態を調整することによって、第１光制御板２０の固定フレーム５１に対する一軸方向Ｄ１における据付位置を調整することができる。とりわけ、第１光制御シート２５の２つの領域Ｚ１、Ｚ２及び第２光制御シート３５の２つの領域Ｚ３、Ｚ４が一軸方向Ｄ１に配列されていることから、第１光制御板２０の固定フレーム５１に対する一軸方向Ｄ１における据付位置を調整することにより、第１光制御シート２５の各領域Ｚ１、Ｚ２と第２光制御シート３５の対応する領域Ｚ３、Ｚ４とがずれることなく重なり易くなる。
【００７０】
また、本実施の形態によれば、第１調整カム５２ａは、第１光制御板２０の他軸方向Ｄ２における両側に少なくとも２つずつ配置されている。この場合、第１光制御板２０が配置された面内における、第１光制御板２０の固定フレーム５１に対する傾きをも微調整することが可能になる。これにより、第１光制御シート２５の各領域Ｚ１、Ｚ２と第２光制御シート３５の対応する領域Ｚ３、Ｚ４とがさらにずれることなく重なり易くなり、図１１に示す採光状態と図１３に示す遮光状態とを明瞭に切換えることが可能になる。
【００７１】
同様に、本実施の形態によれば、第２調整カム５４ａは、第２光制御板３０の一軸方向Ｄ１における両側にそれぞれ配置されている。この場合、これらの第２調整カム５４ａの回転状態を調整することによって、第２光制御板３０の可動フレーム５３に対する一軸方向Ｄ１における据付位置を調整することができる。とりわけ、第１光制御シート２５の２つの領域Ｚ１、Ｚ２及び第２光制御シート３５の２つの領域Ｚ３、Ｚ４が一軸方向Ｄ１に配列されていることから、第２光制御板３０の可動フレーム５３に対する一軸方向Ｄ１における据付位置を調整することにより、第１光制御シート２５の各領域Ｚ１、Ｚ２と第２光制御シート３５の対応する１つの領域Ｚ３、Ｚ４とがずれることなく重なり易くなる。
【００７２】
また、本実施の形態によれば、第２調整カム５４ａは、第２光制御板３０の他軸方向Ｄ２における両側に少なくとも２つずつ配置されている。この場合、第２光制御板３０が配置された面内における、第２光制御板３０の可動フレーム５３に対する傾きをも微調整することが可能になる。これにより、第１光制御シート２５の各領域Ｚ１、Ｚ２と第２光制御シート３５の対応する１つの領域Ｚ３、Ｚ４とがさらにずれることなく重なり易くなり、図１１に示す採光状態と図１３に示す遮光状態とを明瞭に切換えることが可能になる。
【００７３】
また、本実施の形態によれば、位置調整手段５２、５４は、一方のフレーム５１の他方のフレーム５３、５１側を向く面に設けられた凹部５１ｃ、５３ｃ内に配置された調整カム５２ａ、５４ａと、調整カム５２ａ、５４ａから対応するフレーム５１、５３を貫通して延び出した全ネジ５２ｂ、５４ｂと、全ネジ５２ｂ、５４ｂに螺合されるナット５２ｃ、５４ｃと、を含んでいる。このような形態によれば、枠装置５０の限られたスペースを有効に活用しながら、光制御板２０、３０のフレーム５１、５３に対する据付位置の微調整を有効に行うことが可能になる。
【００７４】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７５】
上述した実施の形態では、図１４に示すように、各位置調整手段５２、５４が、調整カム５２ａ、５４ａと、調整カム５２ａ、５４ａから延び出した全ネジ５２ｂ、５４ｂと、全ネジ５２ｂに螺合されるナット５２ｃ、５４ｃと、を有する例を示したが、位置調整手段５２、５４の構成は、上述した構成に限定されない。図１５乃至図１７に、位置調整手段５２、５４の他の構成例を示す。このうち、図１５に示す位置調整手段５２、５４は、図１４に示す全ネジ５２ｂ、５４ｂ及びナット５２ｃ、５４ｃの代わりに六角ボルト５２ｅ、５４ｅを用いたものである。この六角ボルト５２ｅ、５４ｅは、フレーム５１、５３に設けられたイモネジ孔５１ｆ、５３ｆに挿入されたイモネジ５２ｆ、５４ｆで固定されている。
【００７６】
図１６に示す位置調整手段５２、５４は、光制御板２０、３０の周縁に向かって延びるキャップボルト５２ｇ、５４ｇを有している。キャップボルト５２ｇ、５４ｇは、対応するフレーム５１、５３に設けられた雌ネジ孔５１ｇ、５３ｇに螺合している。各キャップボルト５２ｇ、５４ｇを対応する光制御板２０、３０の周縁に向かって送ることにより、光制御板２０、３０のフレーム５１、５３に対する据付位置を調整することができる。
【００７７】
図１７に示す位置調整手段５２、５４は、図１６に示すキャップボルト５２ｇ、５４ｇの代わりに長尺状の当接バー５２ｈ、５４ｈを、フレーム５１、５３に設けられた挿入孔５１ｈ、５３ｈに挿入したものである。当接バー５２ｈ、５４ｈは、フレーム５１、５３に設けられたイモネジ孔５２ｉ、５４ｉに挿入されたイモネジ５２ｉ、５４ｉで固定されている。
【００７８】
図１５乃至図１７に示す位置調整手段５２、５４によれば、枠装置５０の限られたスペースを有効に活用しながら、光制御板２０、３０のフレーム５１、５３に対する据付位置の微調整を有効に行うことが可能になる。
【００７９】
さらに、上述した実施の形態において、第１偏光板２３及び第２偏光板３３が、クロスニコルの状態で配置される例を示したが、これに限られず、第１偏光板２３及び第２偏光板３３が、パラレルニコルの状態で配置されていてもよい。この例では、第１光制御シート２５の第１領域Ｚ1と第２光制御シート３５の第４領域Ｚ４とが対面し、第１光制御シート２５の第２領域Ｚ２と第２光制御シート３５の第３領域Ｚ３とが対面した図７の状態にて、光制御装置１が採光状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した図６の状態で、光制御装置１が遮光状態となる。
【００８０】
さらに、上述した実施の形態において、各調光制御パネル２０，３０が、透過光の偏光状態を制御する光制御シート２５，３５としてパターン位相差フィルムを含み、さらに別途に偏光板２３，３３を含む例を示した。しかしながら、この例に限られず、第１光制御シート２５の第１領域Ｚ1及び第２領域Ｚ２が、共に、偏光板からなり、ただし、当該偏光板は、第１領域Ｚ1及び第２領域Ｚ２において、吸収軸が互いに直交するようにして配置されているようにしてもよい。この例では、第２光制御シート３５の第３領域Ｚ３及び第４領域Ｚ４が、共に、偏光板からなり、ただし、当該偏光板が、第３領域Ｚ３及び第４領域Ｚ４において、吸収軸が互いに直交するようにして配置する。そして、第１光制御シート２５の第１領域Ｚ１での吸収軸と、第２光制御シート３５の第３領域Ｚ３での吸収軸とを平行とする。また、第１光制御シート２５の第２領域Ｚ２での吸収軸と、第２光制御シート３５の第４領域Ｚ４での吸収軸とを平行とする。この変形例では、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面した状態で、光制御装置１は採光状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した状態で、光制御装置１が遮光状態となる。そしてこの例では、上述した第１偏光板２３及び第２偏光板３３は不要とすることができ、光制御装置１の単純化を図ることができる。
【００８１】
なお、以上において上述した実施の形態に対するいくつかの変形例を説明してきたが、当然に、複数の変形例を適宜組み合わせて適用することも可能である。
【符号の説明】
【００８２】
１０   調光装置
２０  第１光制御板
２１  第１透明支持板
２３  第１偏光板
２５  第１光制御シート
３０  第２光制御板
３１  第２透明支持板
３３  第２偏光板
３４  接合層
３５  第２光制御シート
４０  カバー板
５０  枠装置
５１  固定フレーム
５２  第１位置調整手段
５２ａ  第１調整カム
５３  可動フレーム
５４  第２位置調整手段
５４ａ  第２調整カム
５５  カム部材
５５ａ  カムプレート
５５ｂ  ハンドル
５５ｃ  連結軸
ｗａ  従動壁
Ｚ１〜４  第１〜４領域
Ｄ１  一軸方向
Ｄ２  他軸方向
【図１】
2016051156.tif 000003
【図２】
2016051156.tif 000004
【図３】
2016051156.tif 000005
【図４】
2016051156.tif 000006
【図５】
2016051156.tif 000007
【図６】
2016051156.tif 000008
【図７】
2016051156.tif 000009
【図８】
2016051156.tif 000010
【図９】
2016051156.tif 000011
【図１０】
2016051156.tif 000012
【図１１】
2016051156.tif 000013
【図１２】
2016051156.tif 000014
【図１３】
2016051156.tif 000015
【図１４】
2016051156.tif 000016
【図１５】
2016051156.tif 000017
【図１６】
2016051156.tif 000018
【図１７】
2016051156.tif 000019